(57)【要約】【解決課題】ハウジングや軸受の寿命を向上させるとともに、困難なハウジングの加工を要さずにクリープ防止を行え、メンテナンスが容易な軸受装置を提供する。【解決手段】円筒穴を備えたハウジングと、前記円筒穴に嵌合される外輪と、この外輪に同軸で相対回転可能に配置される内輪と、内外輪間に転動可能に配置される転動体とを備える転がり軸受と、外輪をハウジングに対して回り止めする回り止め機構とを備える転がり軸受装置であって、回り止め機構は、外輪の外周に径方向に窪む外輪溝と、この外輪溝に対向して形成されハウジングの円筒穴の内周面からハウジングの外面に向けて貫通するとともに、その内径面に螺子溝と螺子溝と隣接して不完全ねじ部が形成された貫通孔と、貫通孔内にあって外輪溝及び不完全ねじ部、螺子溝とに渡って配置される玉と、貫通孔の螺子溝に螺合され玉を軸受の径方向外側から押圧するボルトを備える。【選択図】図１
2018135971.tif 000002
【特許請求の範囲】
【請求項１】
円筒穴を備えたハウジングと、前記円筒穴に嵌合される外輪と、この外輪に同軸で相対回転可能に配置される内輪と、内外輪間に転動可能に配置される転動体とを備える転がり軸受と、前記外輪を前記ハウジングに対して回り止めする回り止め機構とを備える転がり軸受装置であって、
前記回り止め機構は、前記外輪の外周に径方向に円すい状に窪む外輪溝と、この外輪溝に対向して形成されハウジングの前記円筒穴の内周面からハウジングの外面に向けて貫通するとともに、その内径面に螺子溝と前記螺子溝と隣接して不完全ねじ部が形成された貫通孔と、前記貫通孔内にあって前記外輪溝及び前記不完全ねじ部、螺子溝とに渡って配置される玉と、前記貫通孔の螺子溝に螺合され前記玉を軸受の径方向外側から押圧するボルトと、からなる転がり軸受装置。
【発明の詳細な説明】
【技術分野】
【０００１】
本発明は、ハウジングに装着される外輪をハウジングに対して回り止めする回り止め機構を備える転がり軸受装置に関する。
【背景技術】
【０００２】
従来、ポンプや産業用モータなどの産業機械装置や自動車用途等のハウジングに装着する転がり軸受にあっては、外輪がハウジングにしめしろ嵌合し、内輪には回転軸が嵌合して構成される場合がある。ここで、ハウジングの熱膨張率が外輪より大きい場合には、ハウジングと外輪間に隙間が生じ、内輪を介した軸からの駆動力の反力により、外輪がハウジングに対してクリープを生じる虞がある。そこで、ハウジングに対して外輪が回転（クリープ）するのを防止するため、回り止め機構が外輪とハウジングとに渡って構成されている。
【０００３】
例えば、特許文献１に記載のクランクケースに適用する軸受にあっては、図５に示すように、分割されるクランクケースに一体となったハウジング１０２の割面を利用して、一対のハウジング割面に矩形状の第１の凹溝１０１を備え、軸受１０３の外輪外周面に矩形状の第２の凹溝１０４とを備えるとともに、前記第１の凹溝と前記第二の凹溝とに渡り角柱状のピン１００を挿入して回り止め機構を構成して、前記クランクケースに対する前記外輪のクリープを防止している。
【先行技術文献】
【特許文献】
【０００４】
【特許文献１】特開２０１４−１０５７３２号公報
【発明の概要】
【発明が解決しようとする課題】
【０００５】
特許文献１に記載の回り止め機構では、角柱状のピンとピン形状に対応した矩形状の凹溝をハウジングや軸受に設けるため、凹溝のエッジ部分で応力集中が発生し、ハウジングや軸受の寿命が低下する懸念があった。また、分割したハウジングの両方に凹溝を備える必要があるとともに、分割した両ハウジングに設ける凹溝の位置決め精度が要求され、加工性が煩雑になる問題があった。また、前述の自動車用途以外の産業用軸受装置分野などで用いられている一体型のハウジング構造を採用する軸受装置であって、図６に示す様なプランマブロックなどにおいては、ハウジングを分割分離することが出来ないため、ハウジングに一度挿入したピンを取り除くことが困難で、軸受装置のメンテナンス性の面で課題を要していた。
【０００６】
本発明は、前述の事情に鑑みてなされたものであり、その目的は、ハウジングや軸受の寿命を向上させるとともに、困難なハウジングの加工を要さずにクリープ防止を行え、メンテナンスが容易なクリープ防止構造を備えた軸受装置を提供することにある。
【課題を解決するための手段】
【０００７】
本発明の上記目的は、下記の構成により達成される。
円筒穴を備えたハウジングと、前記円筒穴に嵌合される外輪と、この外輪に同軸で相対回転可能に配置される内輪と、内外輪間に転動可能に配置される転動体とを備える転がり軸受と、前記外輪を前記ハウジングに対して回り止めする回り止め機構とを備える転がり軸受装置であって、前記回り止め機構は、前記外輪の外周に径方向に円すい状に窪む外輪溝と、この外輪溝に対向して形成されハウジングの前記円筒穴の内周面からハウジングの外面に向けて貫通するとともに、その内径面に螺子溝と前記螺子溝と隣接して不完全ねじ部が形成された貫通孔と、前記貫通孔内にあって前記外輪溝及び前記不完全ねじ部、螺子溝とに渡って配置される玉と、前記貫通孔の螺子溝に螺合され前記玉を軸受の径方向外側から押圧するボルトと、からなる転がり軸受装置。
【発明の効果】
【０００８】
本発明の軸受装置によれば、ハウジングや軸受から矩形状の溝を廃止され回り止め機構の応力が緩和され、ハウジングや軸受の寿命が向上する。また、一体型、分割型等のハウジング形式を問わずに、ハウジングの貫通孔を用いて周り止めの効果を奏するようにしたので、回り止め機構の加工性が向上する。さらに、ハウジングの貫通孔からボルトと玉を取り除くだけで軸受装置から軸受を取り外すことが容易になるため、軸受装置のメンテナンス性を向上させることができる。
【図面の簡単な説明】
【０００９】
【図１】本発明の第１実施形態に係る転がり軸受装置を示す断面図である。
【図２】本発明の第２実施形態に係る転がり軸受装置を示す断面図である。
【図３】本発明の第３実施形態に係る転がり軸受装置を示す断面図である。
【図４】本発明の第４実施形態に係る転がり軸受装置を示す断面図である。
【図５】従来のハウジング分割型の転がり軸受装置を示す断面図である。
【図６】従来のハウジング一体型の転がり軸受装置を示す斜視図である。
【発明を実施するための形態】
【００１０】
以下、本発明の各実施形態に係る転がり軸受装置について図面に基づいて詳細に説明する。
【００１１】
（第１実施形態）
図１に示すように、第１実施形態の転がり軸受装置は、外輪１と、内輪２と、前記外輪と前記内輪との間にあって前記外輪と前記内輪とを相対回転させる転動体３とを備えた軸受１０と、前記軸受１０を内嵌するハウジング７と、前記軸受１０の外輪１と前記ハウジング７の相対回転を規制する回り止め機構４とによって構成されている。
【００１２】
ハウジング７には軸受１０を嵌合する円筒穴が設けられ、ハウジングの外面から前記円筒穴の内周面に連通する貫通孔８が設けられている。前記貫通孔８の内周面にはハウジングの外面側から前記円筒穴の内周面近傍までの範囲に螺子溝８ａが設けられ、前記螺子溝８ａに隣接してハウジングの円筒穴の内周面までの範囲に不完全ねじ部８ｂが形成されている。さらに、前記貫通孔８に対向して外輪１の外周面に円すい状の外輪溝１ａが設けられている。そして、前記ハウジングの外面側の貫通孔８から挿脱自在の径を備える玉５を遊挿し、前記外輪溝１ａと前記貫通孔の不完全ねじ部８ｂと螺子溝８ａとに渡って配置されている。さらに前記ハウジングの外面側の貫通孔８からボルト６を螺合して、前記ボルト６によって前記玉５が軸受１０を押圧することで回り止め機構４を構成している。
【００１３】
このような回り止め機構を採用したことで、ハウジングや軸受から矩形状の溝を廃止され回り止め機構の応力が緩和され、ハウジングや軸受の寿命が向上する。また、ハウジングの貫通孔を用いて周り止めの効果を奏するようにしたので、回り止め機構の加工性が向上する。さらに、ハウジングの貫通孔から螺号しているボルトと玉を取り除くだけで軸受装置から軸受を取り外すことが容易になるため、軸受装置のメンテナンス性を向上させることができる。
【００１４】
（第２実施形態）
次に、第２実施形態の転がり軸受装置について説明する。第２の実施形態の転がり軸受装置は第１の実施形態の転がり軸受装置と基本構造は共通であり、共通する構成と効果の記載は省略する。第２の実施形態の転がり軸受装置は、図２に示すように、第１の実施形態に加えて、玉５とボルト６間にプレート状のセットピース９を介在させている。セットピースは玉と同等以上の硬度の材料を採用している。これにより、軸受装置の振動等に起因する玉の回転によってピンが攻撃され摩耗することを防止している。
【００１５】
（第３実施形態）
次に、第３実施形態の転がり軸受装置について説明する。第３の実施形態の転がり軸受装置は第２の実施形態の転がり軸受装置と基本構造は共通であり、共通する構成と効果の記載は省略する。第３の実施形態の転がり軸受装置は、図３に示すように、第２の実施形態に加えて、ハウジング７より突出しているボルト６に対して、２つのナットＮを締結している。ナットはハウジング外周面まで締め込まれることでボルト、ナット間に軸力が発生し、ボルトの緩みを防止することができる。
【００１６】
（第４実施形態）
次に、第４実施形態の転がり軸受装置について説明する。第４の実施形態の転がり軸受装置は第２の実施形態の転がり軸受装置と基本構造は共通であり、共通する構成と効果の記載は省略する。第４の実施形態の転がり軸受装置は、図４に示すように、第２の実施形態に加えて、セットピース９とボルト７間にコイルばねよりなる弾性体１１を介在させている。弾性体を介在させることで、玉とボルト間が所定の弾性力で常時付勢されているので、ボルトの緩みを防止することが出来る。なお、弾性体としては、コイルばね以外に皿ばねや圧縮ばね等も設けることが出来、弾性体の形態は問わない。
【００１７】
なお、本発明は上記実施形態に例示したものに限定されるものではなく、各実施形態の特徴点を適宜組合わせて実施することも出来る等、本発明の要旨を逸脱しない範囲において適宜変更可能である。
【００１８】
また、本実施形態では、転がり軸受装置についての回り止め機構について説明したが、これに限定されず、他の形式の軸受を用いた軸受装置に適用されてもよい。
【符号の説明】
【００１９】
１  外輪
２  内輪
３  転動体
４  回り止め機構
５  玉
６  ボルト
７  ハウジング
８  貫通孔
９  セットピース
１０  軸受
１１  弾性体
【図１】
2018135971.tif 000003
【図２】
2018135971.tif 000004
【図３】
2018135971.tif 000005
【図４】
2018135971.tif 000006
【図５】
2018135971.tif 000007
【図６】
2018135971.tif 000008